(57)【要約】【課題】間隔を置かれた上方の梁及び下方の梁と、前記上方の梁と前記下方の梁との間の枠体とを有する建物において、地震時に前記上方の梁に作用する水平力が前記枠体に確実に伝わり、かつ該枠体が前記下方の梁から確実に反力を受けられるようにすることにより、前記枠体が前記水平力に確実に抵抗できるようにすること。【解決手段】建物は、間隔を置かれた上方の梁及び下方の梁と、上面が前記上方の梁に接着され、下面に複数の第１突起を有する第１プレートと、下面が前記下方の梁に接着され、上面に複数の第２突起を有する第２プレートと、前記上方の梁と前記下方の梁との間の枠体であって頂部及び底部と、前記頂部に設けられた複数の上方突起と、前記底部に設けられた複数の下方突起とを有する枠体と、該枠体の前記頂部と前記第１プレートとの間の第１充填材と、前記枠体の前記底部と前記第２プレートとの間の第２充填材とを含む。【選択図】図１
2011111720.tif 000002
【特許請求の範囲】
【請求項１】
水平方向に間隔を置かれた２つの柱と、
前記柱の間に間隔を置いて設けられた上方の梁及び下方の梁と、
前記上方の梁の下に該上方の梁に平行に配置され、上面が前記上方の梁に接着された第１プレートであって下面に間隔を置いて設けられた複数の第１突起を有する第１プレートと、
前記下方の梁の上に該下方の梁に平行に配置され、下面が前記下方の梁に接着された第２プレートであって上面に間隔を置いて設けられた複数の第２突起を有する第２プレートと、
前記上方の梁と前記下方の梁との間に配置された枠体であって水平方向に間隔を置かれた２つの端部と、該端部の間に間隔を置いて設けられた頂部及び底部と、前記頂部に間隔を置いて設けられ、それぞれが前記頂部から上方へ突出する複数の上方突起と、前記底部に間隔を置いて設けられ、それぞれが前記底部から下方へ突出する複数の下方突起とを有する枠体と、
前記枠体の前記頂部と前記第１プレートとの間に充填された第１充填材と、
前記枠体の前記底部と前記第２プレートとの間に充填された第２充填材とを含む、建物。
【請求項２】
水平方向に間隔を置かれた２つの柱と、
前記柱の間に間隔を置いて設けられた上方の梁及び下方の梁と、
前記上方の梁の下に該上方の梁に平行に配置され、上面が前記上方の梁に接着された第１プレートであって水平方向に隔てられた２つの端部と、各端部の下面に間隔を置いて設けられた複数の第１突起とを有する第１プレートと、
前記下方の梁の上に該下方の梁に平行に配置され、下面が前記下方の梁に接着された第２プレートであって水平方向に隔てられた２つの端部と、各端部の上面に間隔を置いて設けられた複数の第２突起とを有する第２プレートと、
前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起とを有する枠体と、
前記枠体の前記頂部と前記第１プレートとの間に充填された第１充填材と、
前記枠体の前記底部と前記第２プレートとの間に充填された第２充填材とを含む、建物。
【請求項３】
水平方向に間隔を置かれた２つの柱と、
前記柱の間に間隔を置いて設けられた上方の梁及び下方の梁と、
前記上方の梁の各端部の下に前記上方の梁に平行に配置され、上面が前記上方の梁の前記端部に接着された第１プレートであって下面に間隔を置いて設けられた複数の第１突起を有する第１プレートと、
前記下方の梁の各端部の上に前記下方の梁に平行に配置され、下面が前記下方の梁の前記端部に接着された第２プレートであって上面に間隔を置いて設けられた複数の第２突起を有する第２プレートと、
前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起とを有する枠体と、
前記枠体の前記頂部と前記第１プレートとの間に充填された第１充填材と、
前記枠体の前記底部と前記第２プレートとの間に充填された第２充填材とを含む、建物。
【請求項４】
前記第１充填材及び前記第２充填材のそれぞれは、モルタル又はコンクリートからなる、請求項１ないし３のいずれか１項に記載の建物。
【請求項５】
水平方向に間隔を置かれた２つの柱と、
前記柱の間に間隔を置いて設けられた上方の梁及び下方の梁と、
前記上方の梁の下に該上方の梁に平行に配置され、上面が前記上方の梁に接着された第１プレートであって下面に間隔を置いて設けられた複数の第１突起を有する第１プレートと、
前記下方の梁の上に該下方の梁に平行に配置され、下面が前記下方の梁に接着された第２プレートであって上面に間隔を置いて設けられた複数の第２突起を有する第２プレートと、
前記上方の梁と前記下方の梁との間に各柱に平行に配置され、一方の面が前記柱に接着された第３プレートであって他方の面に間隔を置いて設けられた複数の第３突起を有する第３プレートと、
前記上方の梁と前記下方の梁との間に配置された枠体であって水平方向に間隔を置かれた２つの端部と、該端部の間に間隔を置いて設けられた頂部及び底部と、前記頂部に間隔を置いて設けられ、それぞれが前記頂部から上方へ突出する複数の上方突起と、前記底部に間隔を置いて設けられ、それぞれが前記底部から下方へ突出する複数の下方突起と、各端部に間隔を置いて設けられ、それぞれが前記端部から水平方向における外方へ突出する複数の外方突起とを有する枠体と、
前記枠体の前記頂部と前記第１プレートとの間に充填された第１充填材と、
前記枠体の前記底部と前記第２プレートとの間に充填された第２充填材と、
前記枠体の各端部と前記第３プレートとの間に充填された第３充填材とを含む、建物。
【請求項６】
水平方向に間隔を置かれた２つの柱と、
前記柱の間に間隔を置いて設けられた上方の梁及び下方の梁と、
前記上方の梁の下に該上方の梁に平行に配置され、上面が前記上方の梁に接着された第１プレートであって水平方向に隔てられた２つの端部と、各端部の下面に間隔を置いて設けられた複数の第１突起とを有する第１プレートと、
前記下方の梁の上に該下方の梁に平行に配置され、下面が前記下方の梁に接着された第２プレートであって水平方向に隔てられた２つの端部と、各端部の上面に間隔を置いて設けられた複数の第２突起とを有する第２プレートと、
前記上方の梁と前記下方の梁との間に各柱に平行に配置され、一方の面が前記柱に接着された第３プレートであって該第３プレートの上端部及び下端部のそれぞれにおける他方の面に間隔を置いて設けられた複数の第３突起を有する第３プレートと、
前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起と、各端部の上縁部分及び下縁部分のそれぞれに間隔を置いて設けられ、それぞれが前記上縁部分又は前記下縁部分から水平方向における外方へ突出する複数の外方突起とを有する枠体と、
前記枠体の前記頂部と前記第１プレートとの間に充填された第１充填材と、
前記枠体の前記底部と前記第２プレートとの間に充填された第２充填材と、
前記枠体の各端部と前記第３プレートとの間に充填された第３充填材とを含む、建物。
【請求項７】
水平方向に間隔を置かれた２つの柱と、
前記柱の間に間隔を置いて設けられた上方の梁及び下方の梁と、
前記上方の梁の各端部の下に前記上方の梁に平行に配置され、上面が前記上方の梁の前記端部に接着された第１プレートであって下面に間隔を置いて設けられた複数の第１突起を有する第１プレートと、
前記下方の梁の各端部の上に前記下方の梁に平行に配置され、下面が前記下方の梁の前記端部に接着された第２プレートであって上面に間隔を置いて設けられた複数の第２突起を有する第２プレートと、
前記上方の梁と前記下方の梁との間における前記上方の梁の近傍及び前記下方の梁の近傍のそれぞれに各柱に平行に配置され、一方の面が前記柱に接着された第３プレートであって他方の面に間隔を置いて設けられた複数の第３突起を有する第３プレートと、
前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起と、各端部の上縁部分及び下縁部分のそれぞれに間隔を置いて設けられ、それぞれが前記上縁部分又は前記下縁部分から水平方向における外方へ突出する複数の外方突起とを有する枠体と、
前記枠体の前記頂部と前記第１プレートとの間に充填された第１充填材と、
前記枠体の前記底部と前記第２プレートとの間に充填された第２充填材と、
前記枠体の各端部と前記第３プレートとの間に充填された第３充填材とを含む、建物。
【発明の詳細な説明】
【技術分野】
【０００１】
本発明は、建物に関する。
【背景技術】
【０００２】
建物には、水平方向に間隔を置かれた２つの柱と、該柱の間に間隔を置いて設けられた上方の梁及び下方の梁とを含むものがある。前記建物の耐震性を高めるために前記建物の補強が行われる。従来、前記建物の補強方法には、まず、前記上方の梁と前記下方の梁との間に枠体を配置し、その後、前記枠体と前記上方の梁との間、前記枠体と前記下方の梁との間及び前記枠体と前記柱との間のそれぞれに、モルタルからなる充填材を充填するものがある（特許文献１参照）。
【０００３】
前記補強方法によれば、前記柱、前記上方の梁又は前記下方の梁に目荒らしをすること又はこれらにアンカーボルト取付け用の孔を穿つことをしないため、これらの作業に手間や時間を要することなく前記建物の補強を効率的に行うことができる。また、前記目荒らしをすること又は前記孔を穿つことにより騒音、振動及び粉塵を発生させることがなく、前記建物の補強中に前記建物の利用を妨げることがないようにすることができる。
【０００４】
地震時に前記上方の梁に水平力が作用したとき、該水平力が前記上方の梁と前記枠体との間の前記充填材を介して前記枠体に伝わるとともに、前記枠体は該枠体と前記下方の梁との間の前記充填材を介して前記下方の梁から反力を受ける。これにより、前記枠体は、前記水平力に抵抗することができ、前記建物を補強することができる。
【先行技術文献】
【特許文献】
【０００５】
【特許文献１】特開２００４−６０２４５号公報
【発明の概要】
【発明が解決しようとする課題】
【０００６】
しかし、前記水平力が比較的大きい場合、前記上方の梁に前記水平力が作用したとき、前記上方の梁がこれと前記枠体との間の前記充填材に対してずれる又は該充填材が前記枠体に対してずれる恐れがあり、前記水平力が前記枠体に伝わらないことがある。また、前記枠体がこれと前記下方の梁との間の前記充填材に対してずれる又は該充填材が前記下方の梁に対してずれる恐れがあり、前記枠体が前記下方の梁から前記反力を受けられないことがある。このため、前記枠体は前記水平力に確実に抵抗することができず、前記建物の耐震性を効果的に高めることができない。
【０００７】
本発明の目的は、水平方向に間隔を置かれた２つの柱と、該柱の間に間隔を置いて設けられた上方の梁及び下方の梁と、前記上方の梁と前記下方の梁との間に配置された枠体とを有する建物において、地震時に前記上方の梁に作用する水平力が前記枠体に確実に伝わり、かつ該枠体が前記下方の梁から確実に反力を受けられるようにすることにより、前記枠体が前記水平力に確実に抵抗できるようにすることである。
【課題を解決するための手段】
【０００８】
本発明は、上面が上方の梁に接着され、下面に複数の第１突起を有する第１プレートと、複数の上方突起が設けられた枠体の頂部との間及び複数の下方突起が設けられた枠体の底部と、下面が下方の梁に接着され、上面に複数の第２突起を有する第２プレートとの間にそれぞれ第１充填材及び第２充填材が充填されている。これにより、地震時に前記上方の梁に作用した水平力が、前記第１プレートの前記第１突起を介して前記第１充填材に伝わり、該第１充填材から前記上方突起を介して前記枠体の前記頂部に伝わるとともに、反力が前記下方の梁から前記第２プレートの前記第２突起を介して前記第２充填材に伝わり、該第２充填材から前記下方突起を介して前記枠体の前記底部に伝わるようにする。これにより、前記上方の梁に前記水平力が作用したときに前記上方の梁と前記枠体との間及び前記枠体と前記下方の梁との間のそれぞれに生じる摩擦抵抗を大きくし、前記水平力が前記枠体に確実に伝わり、かつ前記枠体が確実に前記反力を受けられるようにし、前記枠体が前記水平力に確実に抵抗できるようにする。
【０００９】
本発明に係る建物は、水平方向に間隔を置かれた２つの柱と、該柱の間に間隔を置いて設けられた上方の梁及び下方の梁と、前記上方の梁の下に該上方の梁に平行に配置され、上面が前記上方の梁に接着された第１プレートであって下面に間隔を置いて設けられた複数の第１突起を有する第１プレートと、前記下方の梁の上に該下方の梁に平行に配置され、下面が前記下方の梁に接着された第２プレートであって上面に間隔を置いて設けられた複数の第２突起を有する第２プレートと、前記上方の梁と前記下方の梁との間に配置された枠体であって水平方向に間隔を置かれた２つの端部と、該端部の間に間隔を置いて設けられた頂部及び底部と、前記頂部に間隔を置いて設けられ、それぞれが前記頂部から上方へ突出する複数の上方突起と、前記底部に間隔を置いて設けられ、それぞれが前記底部から下方へ突出する複数の下方突起とを有する枠体と、該枠体の前記頂部と前記第１プレートとの間に充填された第１充填材と、前記枠体の前記底部と前記第２プレートとの間に充填された第２充填材とを含む。
【００１０】
上面が前記上方の梁に接着され、下面に前記第１突起を有する前記第１プレートと、前記上方突起が設けられた前記枠体の前記頂部との間に前記第１充填材が充填されているため、地震時に前記上方の梁に水平力が作用したとき、該水平力は、前記第１プレートの前記第１突起を介して前記第１充填材に伝わり、該第１充填材から前記上方突起を介して前記枠体の前記頂部に伝わる。これにより、前記上方の梁に前記水平力が作用したときに前記上方の梁と前記枠体との間に生じる摩擦抵抗を大きくすることができ、前記上方の梁が前記枠体に対してずれることがないようにすることができる。このため、前記水平力は前記枠体に確実に伝わる。
【００１１】
前記下方突起が設けられた前記枠体の前記底部と、下面が前記下方の梁に接着され、上面に前記第２突起を有する前記第２プレートとの間に前記第２充填材が充填されているため、前記水平力が前記枠体に伝わって該枠体が前記下方の梁から反力を受けるとき、該反力は、前記下方の梁から前記第２プレートの前記第２突起を介して前記第２充填材に伝わり、該第２充填材から前記下方突起を介して前記枠体の前記底部に伝わる。これにより、前記水平力が前記枠体に伝わったときに前記枠体と前記下方の梁との間に生じる摩擦抵抗を大きくすることができ、前記枠体が前記下方の梁に対してずれることがないようにすることができる。このため、前記枠体は前記下方の梁から確実に前記反力を受けることができる。
【００１２】
このように、前記水平力が前記枠体に確実に伝わり、前記枠体が前記下方の梁から確実に前記反力を受けることにより、前記枠体は前記水平力に確実に抵抗することができる。これにより、建物の耐震性を効果的に高めることができる。
【００１３】
本発明に係る他の建物は、水平方向に間隔を置かれた２つの柱と、該柱の間に間隔を置いて設けられた上方の梁及び下方の梁と、前記上方の梁の下に該上方の梁に平行に配置され、上面が前記上方の梁に接着された第１プレートであって水平方向に隔てられた２つの端部と、各端部の下面に間隔を置いて設けられた複数の第１突起とを有する第１プレートと、前記下方の梁の上に該下方の梁に平行に配置され、下面が前記下方の梁に接着された第２プレートであって水平方向に隔てられた２つの端部と、各端部の上面に間隔を置いて設けられた複数の第２突起とを有する第２プレートと、前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起とを有する枠体と、該枠体の前記頂部と前記第１プレートとの間に充填された第１充填材と、前記枠体の前記底部と前記第２プレートとの間に充填された第２充填材とを含む。
【００１４】
本発明に係る他の建物は、水平方向に間隔を置かれた２つの柱と、該柱の間に間隔を置いて設けられた上方の梁及び下方の梁と、前記上方の梁の各端部の下に前記上方の梁に平行に配置され、上面が前記上方の梁の前記端部に接着された第１プレートであって下面に間隔を置いて設けられた複数の第１突起を有する第１プレートと、前記下方の梁の各端部の上に前記下方の梁に平行に配置され、下面が前記下方の梁の前記端部に接着された第２プレートであって上面に間隔を置いて設けられた複数の第２突起を有する第２プレートと、前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起とを有する枠体と、該枠体の前記頂部と前記第１プレートとの間に充填された第１充填材と、前記枠体の前記底部と前記第２プレートとの間に充填された第２充填材とを含む。
【００１５】
前記第１充填材及び前記第２充填材のそれぞれは、モルタル又はコンクリートからなる。
【００１６】
本発明に係る他の建物は、水平方向に間隔を置かれた２つの柱と、該柱の間に間隔を置いて設けられた上方の梁及び下方の梁と、前記上方の梁の下に該上方の梁に平行に配置され、上面が前記上方の梁に接着された第１プレートであって下面に間隔を置いて設けられた複数の第１突起を有する第１プレートと、前記下方の梁の上に該下方の梁に平行に配置され、下面が前記下方の梁に接着された第２プレートであって上面に間隔を置いて設けられた複数の第２突起を有する第２プレートと、前記上方の梁と前記下方の梁との間に各柱に平行に配置され、一方の面が前記柱に接着された第３プレートであって他方の面に間隔を置いて設けられた複数の第３突起を有する第３プレートと、前記上方の梁と前記下方の梁との間に配置された枠体であって水平方向に間隔を置かれた２つの端部と、該端部の間に間隔を置いて設けられた頂部及び底部と、前記頂部に間隔を置いて設けられ、それぞれが前記頂部から上方へ突出する複数の上方突起と、前記底部に間隔を置いて設けられ、それぞれが前記底部から下方へ突出する複数の下方突起と、各端部に間隔を置いて設けられ、それぞれが前記端部から水平方向における外方へ突出する複数の外方突起とを有する枠体と、該枠体の前記頂部と前記第１プレートとの間に充填された第１充填材と、前記枠体の前記底部と前記第２プレートとの間に充填された第２充填材と、前記枠体の各端部と前記第３プレートとの間に充填された第３充填材とを含む。
【００１７】
本発明に係る他の建物は、水平方向に間隔を置かれた２つの柱と、該柱の間に間隔を置いて設けられた上方の梁及び下方の梁と、前記上方の梁の下に該上方の梁に平行に配置され、上面が前記上方の梁に接着された第１プレートであって水平方向に隔てられた２つの端部と、各端部の下面に間隔を置いて設けられた複数の第１突起とを有する第１プレートと、前記下方の梁の上に該下方の梁に平行に配置され、下面が前記下方の梁に接着された第２プレートであって水平方向に隔てられた２つの端部と、各端部の上面に間隔を置いて設けられた複数の第２突起とを有する第２プレートと、前記上方の梁と前記下方の梁との間に各柱に平行に配置され、一方の面が前記柱に接着された第３プレートであって該第３プレートの上端部及び下端部のそれぞれにおける他方の面に間隔を置いて設けられた複数の第３突起を有する第３プレートと、前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起と、各端部の上縁部分及び下縁部分のそれぞれに間隔を置いて設けられ、それぞれが前記上縁部分又は前記下縁部分から水平方向における外方へ突出する複数の外方突起とを有する枠体と、該枠体の前記頂部と前記第１プレートとの間に充填された第１充填材と、前記枠体の前記底部と前記第２プレートとの間に充填された第２充填材と、前記枠体の各端部と前記第３プレートとの間に充填された第３充填材とを含む。
【００１８】
本発明に係る他の建物は、水平方向に間隔を置かれた２つの柱と、該柱の間に間隔を置いて設けられた上方の梁及び下方の梁と、前記上方の梁の各端部の下に前記上方の梁に平行に配置され、上面が前記上方の梁の前記端部に接着された第１プレートであって下面に間隔を置いて設けられた複数の第１突起を有する第１プレートと、前記下方の梁の各端部の上に前記下方の梁に平行に配置され、下面が前記下方の梁の前記端部に接着された第２プレートであって上面に間隔を置いて設けられた複数の第２突起を有する第２プレートと、前記上方の梁と前記下方の梁との間における前記上方の梁の近傍及び前記下方の梁の近傍のそれぞれに各柱に平行に配置され、一方の面が前記柱に接着された第３プレートであって他方の面に間隔を置いて設けられた複数の第３突起を有する第３プレートと、前記上方の梁と前記下方の梁との間に配置された枠体であって水平方向に間隔を置かれた２つの端部と、該端部の間に間隔を置いて設けられ、それぞれが、水平方向に隔てられた２つの縁部分を有する頂部及び底部と、前記頂部の各縁部分に間隔を置いて設けられ、それぞれが前記縁部分から上方へ突出する複数の上方突起と、前記底部の各縁部分に間隔を置いて設けられ、それぞれが前記縁部分から下方へ突出する複数の下方突起と、各端部の上縁部分及び下縁部分のそれぞれに間隔を置いて設けられ、それぞれが前記上縁部分又は前記下縁部分から水平方向における外方へ突出する複数の外方突起とを有する枠体と、該枠体の前記頂部と前記第１プレートとの間に充填された第１充填材と、前記枠体の前記底部と前記第２プレートとの間に充填された第２充填材と、前記枠体の各端部と前記第３プレートとの間に充填された第３充填材とを含む。
【発明の効果】
【００１９】
上面が上方の梁に接着され、下面に複数の第１突起を有する第１プレートと、上方突起が設けられた枠体の頂部との間及び下方突起が設けられた前記枠体の底部と、下面が下方の梁に接着され、上面に複数の第２突起を有する第２プレートとの間にそれぞれ第１充填材及び第２充填材が充填されているため、地震時に前記上方の梁に水平力が作用したとき、該水平力が前記第１プレートの前記第１突起を介して前記第１充填材に伝わり、該第１充填材から前記上方突起を介して前記枠体の前記頂部に伝わるとともに、反力が前記下方の梁から前記第２プレートの前記第２突起を介して前記第２充填材に伝わり、該第２充填材から前記下方突起を介して前記枠体の前記底部に伝わる。これにより、前記上方の梁に前記水平力が作用したときに前記上方の梁と前記枠体との間及び前記枠体と前記下方の梁との間のそれぞれに生じる摩擦抵抗を大きくすることができ、前記上方の梁が前記枠体に対してずれること又は前記枠体が前記下方の梁に対してずれることがないようにすることができる。このため、前記水平力は前記枠体に確実に伝わり、かつ前記枠体は前記下方の梁から確実に前記反力を受けることができる。よって、前記枠体は前記水平力に確実に抵抗することができ、建物の耐震性を効果的に高めることができる。
【図面の簡単な説明】
【００２０】
【図１】本発明の第１実施例に係る建物の正面図。
【図２】図１の線２における建物の拡大図。
【図３】図２の線３における建物の断面図。
【図４】図１の線４における建物の拡大図。
【図５】本発明の第２実施例に係る建物の正面図。
【図６】本発明の第３実施例に係る建物の正面図。
【図７】本発明の第４実施例に係る建物の正面図。
【図８】図７の線８における建物の拡大図。
【図９】図８の線９における建物の断面図。
【図１０】本発明の第５実施例に係る建物の正面図。
【図１１】本発明の第６実施例に係る建物の正面図。
【発明を実施するための形態】
【００２１】
図１に示すように、建物１０が構築されている。建物１０は、水平方向に間隔を置かれた２つの柱１２、１４と、該柱の間に間隔を置いて設けられた上方の梁１６及び下方の梁１８と、上方の梁１６と下方の梁１８との間に配置された枠体２０とを含む。上方の梁１６及び下方の梁１８のそれぞれに床スラブ２２、２４が支持されている。柱１２、１４、上方の梁１６、下方の梁１８及び床スラブ２２、２４のそれぞれは鉄筋コンクリートからなる。
【００２２】
図２、３に示すように、建物１０は、上方の梁１６の下に該上方の梁に平行に配置され、上面が上方の梁１６に接着された第１プレート２６を含む。第１プレート２６は、該第１プレートの下面に間隔を置いて設けられた複数の第１突起２８を有する。第１プレート２６は、帯状の縞鋼板であり、上方の梁１６の長さ方向に伸びている。上方の梁１６への第１プレート２６の接着は第１接着剤３０によりなされている。第１接着剤３０は、例えば、エポキシ樹脂接着剤である。
【００２３】
図４に示すように、建物１０は、下方の梁１８の上に該下方の梁に平行に配置され、下面が下方の梁１８に接着された第２プレート３２を含む。第２プレート３２は、該第２プレートの上面に間隔を置いて設けられた複数の第２突起３４を有する。第２プレート３２は、帯状の縞鋼板であり、下方の梁１８の長さ方向に伸びている。下方の梁１８への第２プレート３２の接着は第２接着剤３６によりなされている。第２接着剤３６は、例えば、エポキシ樹脂接着剤である。
【００２４】
第１プレート２６は、縞鋼板である上記の例に代え、第１プレート２６の下面に該第１プレートの長さ方向に間隔を置いて形成され、それぞれが第１プレート２６の幅方向に伸びる複数のリブ（図示せず）を有するものとすることができる。第２プレート３２は、縞鋼板である上記の例に代え、第２プレート３２の上面に第２プレート３２の長さ方向に間隔を置いて形成され、それぞれが第２プレート３２の幅方向に伸びる複数のリブ（図示せず）を有するものとすることができる。第１突起２８及び第２突起３４のそれぞれは、第１プレート２６の下面又は第２プレート３２の上面に一体に形成されている上記の例に代え、第１プレート２６の下面又は第２プレート３２の上面に取り付けられた部材（図示せず）からなるものでもよい。
【００２５】
枠体２０は、水平方向に間隔を置かれた２つの端部３８、４０と、該端部の間に間隔を置いて設けられた頂部４２及び底部４４とを有し、矩形である（図１）。枠体２０は、該枠体の一端部３８と頂部４２とが成す第１隅部と、枠体２０の他端部４０と頂部４２とが成す第２隅部と、枠体２０の一端部３８と底部４４とが成す第３隅部と、枠体２０の他端部４０と底部４４とが成す第４隅部とを有する。
【００２６】
枠体２０の中に、上端部が枠体２０の頂部４２に取り付けられ、下端部が枠体２０の前記第３隅部に取り付けられた第１斜材４６と、上端部が枠体２０の頂部４２に取り付けられ、下端部が枠体２０の前記第４隅部に取り付けられた第２斜材４８とが配置されている。枠体２０、第１斜材４６及び第２斜材４８のそれぞれは鋼製である。
【００２７】
枠体２０は、該枠体の頂部４２に間隔を置いて設けられ、それぞれが頂部４２から上方へ突出する複数の上方突起５０と、枠体２０の底部４４に間隔を置いて設けられ、それぞれが底部４４から下方へ突出する複数の下方突起５２とを有する。上方突起５０及び下方突起５２のそれぞれは、枠体２０の頂部４２又は底部４４に一体に形成されていてもよいし、枠体２０の頂部４２又は底部４４に取り付けられた、スタッドボルト、鋼板又は鉄筋のような部材（図示せず）からなるものでもよい。
【００２８】
建物１０は、枠体２０の頂部４２と第１プレート２６との間に充填された第１充填材５４と、枠体２０の底部４４と第２プレート３２との間に充填された第２充填材５６と、枠体２０の一端部３８と一方の柱１２との間及び枠体２０の他端部４０と他方の柱１４との間のそれぞれに充填された第３充填材５８とを含む。第１充填材５４、第２充填材５６及び第３充填材５８のそれぞれは、モルタル又はコンクリートからなる。
【００２９】
上面が上方の梁１６に接着され、下面に設けられた複数の第１突起２８を有する第１プレート２６と、複数の上方突起５０が設けられた枠体２０の頂部４２との間に第１充填材５４が充填されているため、地震時に上方の梁１６に水平力が作用したとき、該水平力は、上方の梁１６から第１プレート２６の第１突起２８を介して第１充填材５４に伝わり、該第１充填材から上方突起５０を介して枠体２０の頂部４２に伝わる。これにより、上方の梁１６に前記水平力が作用したときに上方の梁１６と枠体２０との間に生じる摩擦抵抗を大きくすることができ、上方の梁１６が枠体２０に対してずれることがないようにすることができる。このため、前記水平力は枠体２０に確実に伝わる。
【００３０】
複数の下方突起５２が設けられた枠体２０の底部４４と、下面が下方の梁１８に接着され、上面に設けられた複数の第２突起３４を有する第２プレート３２との間に第２充填材５６が充填されているため、前記水平力が枠体２０に伝わって該枠体が下方の梁１８から反力を受けるとき、該反力は、下方の梁１８から第２プレート３２の第２突起３４を介して第２充填材５６に伝わり、該第２充填材から下方突起５２を介して枠体２０の底部４４に伝わる。これにより、前記水平力が枠体２０に伝わったときに枠体２０と下方の梁１８との間に生じる摩擦抵抗を大きくすることができ、枠体２０が下方の梁１８に対してずれることがないようにすることができる。このため、枠体２０は下方の梁１８から確実に前記反力を受けることができる。
【００３１】
このように、前記水平力が枠体２０に確実に伝わり、かつ枠体２０が確実に前記反力を受けることにより、枠体２０は前記水平力に確実に抵抗することができる。これにより、建物の耐震性を効果的に高めることができる。
【００３２】
建物１０は、新設の建物でもよいし、間隔を置かれた２つの柱１２、１４と、該柱の間に間隔を置いて設けられた上方の梁１６及び下方の梁１８とを含む既設の建物を枠体２０を用いて補強することにより造られたものでもよい。
【００３３】
建物１０が新設の建物である場合、建物１０を構築するとき、まず、水平方向に間隔を置かれた２つの柱１２、１４の間に、間隔を置かれた上方の梁１６及び下方の梁１８を設ける。次に、下面に設けられた複数の第１突起２８を有する第１プレート２６を上方の梁１６の下に該上方の梁に平行に配置し、第１プレート２６の上面を上方の梁１６に接着する。その後、上面に設けられた複数の第２突起３４を有する第２プレート３２を下方の梁１８の上に該下方の梁に平行に配置し、第２プレート３２の下面を下方の梁１８に接着する。その後、頂部４２に設けられた複数の上方突起５０と底部４４に設けられた複数の下方突起５２とを有する枠体２０を上方の梁１６と下方の梁１８との間に配置し、枠体２０の頂部４２と第１プレート２６との間に第１充填材５４を、枠体２０の底部４４と第２プレート３２との間に第２充填材５６を、枠体２０の各端部３８、４０と柱１２、１４との間に第３充填材５８をそれぞれ充填する。
【００３４】
建物１０が、前記既設の建物を補強することにより造られたものである場合、前記既設の建物を補強するとき、まず、下面に設けられた複数の第１突起２８を有する第１プレート２６を上方の梁１６の下に該上方の梁に平行に配置し、第１プレート２６の上面を上方の梁１６に接着する。次に、上面に設けられた複数の第２突起３４を有する第２プレート３２を下方の梁１８の上に該下方の梁に平行に配置し、第２プレート３２の下面を下方の梁１８に接着する。その後、頂部４２に設けられた複数の上方突起５０と底部４４に設けられた複数の下方突起５２とを有する枠体２０を上方の梁１６と下方の梁１８との間に配置し、枠体２０の頂部４２と第１プレート２６との間に第１充填材５４を、枠体２０の底部４４と第２プレート３２との間に第２充填材５６を、枠体２０の各端部３８、４０と柱１２、１４との間に第３充填材５８をそれぞれ充填する。
【００３５】
第１プレート２６を上方の梁１６の下に配置し、第１プレート２６の上面を上方の梁１６に接着した後に、第２プレート３２を下方の梁１８の上に配置し、第２プレート３２の下面を下方の梁１８に接着する上記の例に代え、第１プレート２６を上方の梁１６の下に配置し、第１プレート２６の上面を上方の梁１６に接着する前に、第２プレート３２を下方の梁１８の上に配置し、第２プレート３２の下面を下方の梁１８に接着してもよい。
【００３６】
前記既設の建物を補強するときに、柱１２、１４、上方の梁１６又は下方の梁１８に目荒らしをすること又はこれらにアンカーボルト取付け用の孔（図示せず）を穿つことをしないため、これらの作業に手間や時間を要することなく前記既設の建物の補強を効率的に行うことができる。また、前記目荒らしをすること又は前記孔を穿つことにより騒音、振動及び粉塵を発生させることがなく、前記既設の建物の補強中に前記既設の建物の利用を妨げることがないようにすることができる。
【００３７】
図１に示した例では、第１突起２８が第１プレート２６の全部の下面に設けられ、上方突起５０が枠体２０の頂部４２の全部分に設けられているが、これに代え、図５に示す例では、第１突起２８が第１プレート２６の一部の下面に設けられ、上方突起５０が枠体２０の頂部４２の一部分に設けられている。また、図１に示した例では、第２突起３４が第２プレート３２の全部の上面に設けられ、下方突起５２が枠体２０の底部４４の全部分に設けられているが、これに代え、図５に示した例では、第２突起３４が第２プレート３２の一部の上面に設けられ、下方突起５２が枠体２０の底部４４の一部分に設けられている。
【００３８】
図５に示した例では、第１プレート２６は、水平方向に隔てられた２つの端部６０と、各端部の下面に間隔を置いて設けられた複数の第１突起２８とを有し、枠体２０の頂部４２は、水平方向に隔てられた２つの縁部分６２を有し、枠体２０は、該枠体の頂部４２の各縁部分６２に間隔を置いて設けられ、それぞれが縁部分６２から上方へ突出する複数の上方突起５０を有する。また、第２プレート３２は、水平方向に隔てられた２つの端部６４と、各端部の上面に間隔を置いて設けられた複数の第２突起３４とを有し、枠体２０の底部４４は、水平方向に隔てられた２つの縁部分６６を有し、枠体２０は、該枠体の底部４４の各縁部分６６に間隔を置いて設けられ、それぞれが縁部分６６から下方へ突出する複数の下方突起５２を有する。
【００３９】
ところで、地震時に上方の梁１６が一方の柱１２から他方の柱１４に向けての水平力を受けて下方の梁１８に対してずれようとすることにより、枠体２０に、該枠体の前記第１隅部と前記第４隅部とを結ぶ直線（図示せず）の方向の圧縮力が作用する。このとき、前記第１隅部の近傍における枠体２０の頂部４２の縁部分６２は、上方の梁１６から、前記圧縮力の鉛直成分である下向き力を受け、前記第４隅部の近傍における枠体２０の底部４４の縁部分６６は、下方の梁１８から、前記圧縮力の鉛直成分である上向き力を受ける。地震時に上方の梁１６が他方の柱１４から一方の柱１２に向けての水平力を受けて下方の梁１８に対してずれようとすることにより、枠体２０に、該枠体の前記第２隅部と前記第３隅部とを結ぶ直線（図示せず）の方向の圧縮力が作用する。このとき、前記第２隅部の近傍における枠体２０の頂部４２の縁部分６２は、上方の梁１６から、前記圧縮力の鉛直成分である下向き力を受け、前記第４隅部の近傍における枠体２０の底部４４の縁部分６６は、下方の梁１８から、前記圧縮力の鉛直成分である上向き力を受ける。
【００４０】
このように、地震時に上方の梁１６が水平力を受けたときに枠体２０の頂部４２の各縁部分６２が上方の梁１６から下向き力を受けるため、第１突起２８が第１プレート２６の各端部６０の下面に設けられ、上方突起５０が枠体２０の頂部４２の各縁部分６２に設けられていることにより、上方の梁１６が前記水平力を受けたときに上方の梁１６と枠体２０との間に生じる摩擦抵抗を効果的に大きくすることができ、前記水平力を枠体２０に効果的に伝えることができる。また、上方の梁１６が前記水平力を受けたときに枠体２０の底部４４の各縁部分６６が下方の梁１８から上向き力を受けるため、第２突起３４が第２プレート３２の各端部６４の上面に設けられ、下方突起５２が枠体２０の底部４４の各縁部分６６に設けられていることにより、前記水平力が枠体２０に伝わって該枠体が下方の梁１８から反力を受けるときに枠体２０と下方の梁１８との間に生じる摩擦抵抗を効果的に大きくすることができ、枠体２０が下方の梁１８から効果的に前記反力を受けることができる。
【００４１】
第１突起２８が第１プレート２６の各端部６０の下面に設けられ、上方突起５０が枠体２０の頂部４２の各縁部分６２に設けられている図５に示した例に代え、第１突起２８が第１プレート２６の中央部６８の下面に設けられ、上方突起５０が枠体２０の頂部４２の中央部分７０に設けられていてもよい。また、第２突起３４が第２プレート３２の各端部６４の上面に設けられ、下方突起５２が枠体２０の底部４４の各縁部分６６に設けられている図５に示した例に代え、第２突起３４が第２プレート３２の中央部７２の上面に設けられ、下方突起５２が枠体２０の底部４４の中央部分７４に設けられていてもよい。
【００４２】
図５に示した例では、第１プレート２６が上方の梁１６の全部の下に配置されているが、これに代え、図６に示す例では、第１プレート２６が上方の梁１６の一部の下に配置されている。また、図５に示した例では、第２プレート３２が下方の梁１８の全部の上に配置されているが、これに代え、図６に示した例では、第２プレート３２が下方の梁１８の一部の上に配置されている。
【００４３】
図６に示した例では、第１プレート２６は上方の梁１６の各端部の下に配置されており、第２プレート３２は下方の梁１８の各端部の上に配置されている。枠体２０は、該枠体の頂部４２の各縁部分６２に間隔を置いて設けられ、それぞれが縁部分６２から上方へ突出する複数の上方突起５０と、枠体２０の底部４４の各縁部分６６に間隔を置いて設けられ、それぞれが縁部分６６から下方へ突出する複数の下方突起５２とを有する。
【００４４】
第１プレート２６が上方の梁１６の各端部の下に配置され、上方突起５０が枠体２０の頂部４２の各縁部分６２に設けられている図６に示した例に代え、第１プレート２６が上方の梁１６の中央部の下に配置され、上方突起５０が枠体２０の頂部４２の中央部分７０に設けられていてもよい。また、第２プレート３２が下方の梁１８の各端部の上に配置され、下方突起５２が枠体２０の底部４４の各縁部分６６に設けられている図６に示した例に代え、第２プレート３２が下方の梁１８の中央部の上に配置され、下方突起５２が枠体２０の底部４４の中央部分７４に設けられていてもよい。
【００４５】
図７ないし９に示す例では、建物１０は、上方の梁１６と下方の梁１８との間に各柱１２、１４に平行に配置され、一方の面が柱１２、１４に接着された第３プレート７６を有する。第３プレート７６は、該第３プレートの他方の面に間隔を置いて設けられた複数の第３突起７８を有し、枠体２０は、該枠体の各端部３８、４０に間隔を置いて設けられ、それぞれが端部３８、４０から水平方向における外方へ突出する複数の外方突起８０を有する。第３充填材５８は枠体２０の各端部３８、４０と第３プレート７６との間に充填されている。
【００４６】
第３プレート７６は、帯状の縞鋼板であり、上下方向に伸びている。下方の梁１８への第２プレート３２の接着は第３接着剤８２によりなされている。第３接着剤８２は、例えば、エポキシ樹脂接着剤である。第３プレート７６は、縞鋼板である上記の例に代え、第３プレート７６の前記他方の面に上下方向に間隔を置いて形成され、それぞれが水平方向に伸びる複数のリブ（図示せず）を有するものとすることができる。第３突起７８は、第３プレート７６の前記他方の面に一体に形成されている上記の例に代え、前記他方の面に取り付けられた部材（図示せず）からなるものでもよい。外方突起８０は、枠体２０の端部３８、４０に一体に形成されていてもよいし、枠体２０の端部３８、４０に取り付けられた、スタッドボルト、鋼板又は鉄筋のような部材（図示せず）からなるものでもよい。
【００４７】
図７に示した例では、第３突起７８が第３プレート７６の全部における前記他方の面に設けられ、外方突起８０が枠体２０の各端部３８、４０の全部分に設けられているが、これに代え、図１０に示す例では、第３突起７８が第３プレート７６の一部における前記他方の面に設けられ、外方突起８０が枠体２０の各端部３８、４０の一部分に設けられている。
【００４８】
図１０に示した例では、第３プレート７６は、該第３プレートの上端部８４及び下端部８６のそれぞれにおける前記他方の面に間隔を置いて設けられた複数の第３突起７８を有し、枠体２０は、該枠体の各端部３８、４０の上縁部分８８及び下縁部分９０のそれぞれに間隔を置いて設けられ、それぞれが上縁部分８８又は下縁部分９０から水平方向における外方へ突出する複数の外方突起８０を有する。第１プレート２６は、該第１プレートの各端部６０の下面に間隔を置いて設けられた複数の第１突起２８を有し、第２プレート３２は、該第２プレートの各端部６４の上面に間隔を置いて設けられた複数の第２突起３４を有し、枠体２０は、該枠体の頂部４２の各縁部分６２に間隔を置いて設けられ、それぞれが縁部分６２から上方へ突出する複数の上方突起５０と、枠体２０の底部４４の各縁部分６６に間隔を置いて設けられ、それぞれが縁部分６６から下方へ突出する複数の下方突起５２とを有する。
【００４９】
第３突起７８が第３プレート７６の上端部８４及び下端部８６のそれぞれにおける前記他方の面に設けられ、外方突起８０が枠体２０の各端部３８、４０の上縁部分８８及び下縁部分９０のそれぞれに設けられている図１０に示した例に代え、第３突起７８が第３プレート７６の中央部９２における前記他方の面に設けられ、外方突起８０が枠体２０の各端部３８、４０の中央部分９４に設けられていてもよい。
【００５０】
図１０に示した例では、第３プレート７６が上方の梁１６と下方の梁１８との間における全範囲に配置されているが、これに代え、図１１に示す例では、第３プレート７６が上方の梁１６と下方の梁１８との間における一部の範囲に配置されている。図１１に示した例では、第３プレート７６は、上方の梁１６と下方の梁１８との間における上方の梁１６の近傍及び下方の梁１８の近傍のそれぞれに配置されており、枠体２０は、該枠体の各端部３８、４０の上縁部分８８及び下縁部分９０のそれぞれに間隔を置いて設けられた複数の外方突起８０を有する。第１プレート２６は上方の梁１６の各端部の下に配置されており、第２プレート３２は下方の梁１８の各端部の上に配置されており、枠体２０は、該枠体の頂部４２の各縁部分６２に間隔を置いて設けられ、それぞれが縁部分６２から上方へ突出する複数の上方突起５０と、枠体２０の底部４４の各縁部分６６に間隔を置いて設けられ、それぞれが縁部分６６から下方へ突出する複数の下方突起５２とを有する。
【００５１】
第３プレート７６が上方の梁１６と下方の梁１８との間における上方の梁１６の近傍及び下方の梁１８の近傍のそれぞれに設けられ、外方突起８０が枠体２０の各端部３８、４０の上縁部分８８及び下縁部分９０のそれぞれに設けられている図１１に示した例に代え、第３プレート７６が上方の梁１６と下方の梁１８との間における上方の梁１６及び下方の梁１８のそれぞれから隔てられた位置に設けられ、外方突起８０が枠体２０の各端部３８、４０の中央部分９４に設けられていてもよい。
【００５２】
第１斜材４６の上端部が枠体２０の頂部４２に、下端部が枠体２０の前記第３隅部にそれぞれ取り付けられ、第２斜材４８の上端部が枠体２０の頂部４２に、下端部が枠体２０の前記第４隅部にそれぞれ取り付けられている図１に示した例に代え、第１斜材４６の上端部が枠体２０の前記第１隅部に、下端部が枠体２０の底部４４にそれぞれ取り付けられ、第２斜材４８の上端部が枠体２０の前記第２隅部に、下端部が枠体２０の底部４４にそれぞれ取り付けられていてもよい。また、枠体２０の中に、２つの斜材４６、４８が配置されている図１に示した例に代え、上端部が枠体２０の前記第１隅部に取り付けられ、下端部が枠体２０の前記第２隅部に取り付けられた１つの斜材（図示せず）が配置されていてもよいし、格子状の部材（図示せず）が配置されていてもよい。
【符号の説明】
【００５３】
１０    建物
１２、１４    柱
１６    上方の梁
１８    下方の梁
２０    枠体
２６    第１プレート
２８    第１突起
３２    第２プレート
３４    第２突起
３８、４０    枠体の端部
４２    枠体の頂部
４４    枠体の底部
５０    上方突起
５２    下方突起
５４    第１充填材
５６    第２充填材
５８    第３充填材
６０    第１プレートの端部
６２    枠体の頂部の縁部分
６４    第２プレートの端部
６６    枠体の底部の縁部分
７６    第３プレート
７８    第３突起
８０    外方突起
８４    第３プレートの上端部
８６    第３プレートの下端部
８８    枠体の端部の上縁部分
９０    枠体の端部の下縁部分
【図１】
2011111720.tif 000003
【図２】
2011111720.tif 000004
【図３】
2011111720.tif 000005
【図４】
2011111720.tif 000006
【図５】
2011111720.tif 000007
【図６】
2011111720.tif 000008
【図７】
2011111720.tif 000009
【図８】
2011111720.tif 000010
【図９】
2011111720.tif 000011
【図１０】
2011111720.tif 000012
【図１１】
2011111720.tif 000013